(57)【特許請求の範囲】
【請求項１】
ガスを燃焼するバーナと、前記バーナにより発生した燃焼ガスと外部から取り込んだ空気とを混合して温風とする燃焼室と、前記燃焼室より温風を送出する送風ファンと、前記送風ファンによる温風を吹出す温風吹出し口で構成された温風暖房器にあって、
前記温風暖房器の運転を制御する制御手段を有し、
制御手段は、温風暖房器が、該温風暖房器の仕様ガス種類と異なったガス種類で運転された場合におけるバーナの異常燃焼による火炎出力を検出し、このバーナの異常燃焼による火炎出力の検出は所定の検出回数以降は温風暖房器の動作を不能にさせることを特徴とする温風暖房装置。
【請求項２】
前記制御手段は前記温風暖房器が、該温風暖房器の仕様ガス種類と異なったガス種類で運転された場合、前記バーナの異常燃焼による火炎出力を検出し、前記火炎出力が所定時間に所定出力以上になれば運転を停止することを特徴とする請求項１に記載の温風暖房装置。
【請求項３】
制御手段は、温風暖房器が、該温風暖房器の仕様ガス種類と異なったガス種類で運転された場合におけるバーナの異常燃焼による火炎出力を検出し、異常を報知する報知音発生機能を有することを特徴とする請求項１又は２に記載の温風暖房装置。
【請求項４】
制御手段は、温風暖房器が、該温風暖房器の仕様ガス種類と異なったガス種類で運転された場合におけるバーナの異常燃焼による火炎出力を検出し、異常状態を運転操作部に表示し、更に異常を報知する報知音発生機能を有することを特徴とする請求項１又は２に記載の温風暖房装置。
【発明の詳細な説明】
【技術分野】
【０００１】
本発明はガスを燃料として使用する温風暖房装置の制御構成に関するものである。
【背景技術】
【０００２】
従来この種の温風暖房装置は、運転スイッチを入れれば制御装置に伝達されて暖房燃焼運転を開始し、運転スイッチを停止すれば運転停止信号が制御装置に伝達され、ガス閉止弁への出力を停止し、ガス閉止弁を閉じていた。そして、温風暖房装置は、その仕様ガス種類と同じガス種が使用されることを前提で構成されていた（例えば、特許文献１参照）。図７は従来の温風暖房装置における制御フローチャートの一例を示すものである。
【特許文献１】特開２００２−３５７３１９号公報
【発明の開示】
【発明が解決しようとする課題】
【０００３】
しかしながら、前記従来の構成では、温風暖房装置の仕様ガス種類と同じガス種が使用されることを前提で温風暖房装置が作られているので、温風暖房装置の仕様ガス種と異なったガス種を使用して温風暖房装置が運転された場合は、バーナが異常燃焼を起こしているにもかかわらず、何らかの不具合が機器に発生するまで使用者は気づかないでいる課題があった。
【０００４】
上記従来の課題に鑑み、本発明が解決しようとする課題は、温風暖房装置の仕様ガス種と異なったガス種が使用された場合には暖房運転を停止するようにして安全性を向上させた温風暖房装置を提供することにある。
【課題を解決するための手段】
【０００５】
上記課題を解決するために、本発明の温風暖房装置は、温風暖房器が、該温風暖房器の仕様ガス種類と異なったガス種類で運転された場合、バーナの異常燃焼による火炎出力を検出し、前記火炎出力が所定時間に所定出力以上になれば運転停止するように構成した制御手段を備えたものである。これによって、温風暖房器の仕様ガス種類と異なったガス種類で温風暖房器が運転された場合、運転を自動的に停止し、機器の使用上の安全を図るものである。
【発明の効果】
【０００６】
本発明の温風暖房装置は、温風暖房器の仕様ガス種類と異なったガス種類で温風暖房器が運転された場合、制御手段により運転を自動的に停止して機器の使用上の安全を図ることができる。
【発明を実施するための最良の形態】
【０００７】
第１の発明は、ガスを燃焼するバーナと、前記バーナにより発生した燃焼ガスと外部から取り込んだ空気とを混合して温風とする燃焼室と、前記燃焼室より温風を送出する送風ファンと、前記送風ファンによる温風を吹出す温風吹出口で構成された温風暖房器にあって、前記温風暖房器の運転を制御する制御手段を有し、前記制御手段は前記温風暖房器が、該温風暖房器の仕様ガス種類と異なったガス種類で運転された場合、前記バーナの異常燃焼による火炎出力を検出し、前記火炎出力が所定時間に所定出力以上になれば運転を停止するように構成した温風暖房装置である。
【０００８】
これにより、制御手段は温風暖房器の仕様ガス種類と異なったガス種類で運転された場合、前記バーナの異常燃焼による火炎出力を検出し、前記火炎出力が所定時間に所定出力以上になれば運転停止の作用をするので、温風暖房器は自動的に停止され、機器の使用ガスの間違いによる不安全事象を防止することができる。
【０００９】
第２の発明は、特に第１の発明の制御手段を、温風暖房器が、該温風暖房器の仕様ガス種類と異なったガス種類で運転された場合におけるバーナの異常燃焼による火炎出力を検出し、異常を報知する報知音発生機能を有した構成にしたもので、温風暖房器が仕様ガス種類と異なったガス種類で運転された場合、制御手段により運転の異常を、報知音を報知させて機器の使用ガスの間違いによる不安全事象を確実に使用者に知らせることができる。
【００１０】
第３の発明は、特に第１の発明の制御手段を、温風暖房器が、該温風暖房器の仕様ガス種類と異なったガス種類で運転された場合におけるバーナの異常燃焼による火炎出力を検出し、異常状態を運転操作部に表示し、更に異常を報知する報知音発生機能を有した構成にしているので、使用されるガスが異なったガス種類で温風暖房器が運転された場合、制御手段はバーナの異常燃焼による火炎出力を検出した際に運転操作部に異常表示し、さらに異常音報知し使用者に異常状態を知らせるので、機器の使用ガスの間違いによる不安全事象を、より確実に使用者に知らせることができる。
【００１１】
第４の発明は、特に第１〜第３のいずれか一つの発明の制御手段を、温風暖房器が、該温風暖房器の仕様ガス種類と異なったガス種類で運転された場合におけるバーナの異常燃焼による火炎出力を検出し、このバーナの異常燃焼による火炎出力の検出は所定の検出回数以降は温風暖房器の動作を不能にさせる構成にしたので、使用されるガスが異なったガス種類で何回も温風暖房器が運転開始された場合、制御手段はバーナの異常燃焼による火炎出力の検出が所定の検出回数以降になると温風暖房器の動作を不能にする。
【００１２】
なお、制御手段は温風暖房器が動作不能に陥った時には、専門のアフターサービス者により前記動作不能を解除するスイッチの操作、または暗号の入力で検出機能を元に戻すように構成すればよい。
【００１３】
以下、本発明の実施の形態について、図面を参照しながら説明する。なお、本実施の形態によって本発明が限定されるものではない。また、本実施の形態の説明において、同一構成で同一作用効果を奏するところには同一符号を付して重複した説明を行わないものとする。
【００１４】
（実施の形態１）
図１は、本発明の実施の形態１における温風暖房装置の構成図で、図２は同温風暖房装置の制御フローである。バーナ１は供給されたガスの燃焼を行う。燃焼室２は、バーナ１によるガスの燃焼により発生した燃焼ガスの上昇を案内する。そして、燃焼室２の上方付近で外部から取り込まれた空気が混合し温風が形成される。燃焼室２のバーナ１の上部にはバーナ１の燃焼による火炎を検出して電気信号として火炎出力する燃焼検出器３が配置してある。
【００１５】
また、バーナ１の下方には上記した温風を温風暖房器の外殻であるケース６の前面下部に開口する温風吹出し口５へ送出するための送風ファン４が設けられている。送風ファン４は、ファンモータ７が側面に取り付けられ、かつ前方には温風吹出し口５が位置している。ケース６の後面には、温風用と燃焼用として使用される対流用空気８を取り入れるための多数の空気吸込み口９とエアーフィルター１０が設けてある。
【００１６】
室温検出器１１は、空気吸込み口９の内側に設けられ、流入する空気の温度で室温を検出する。送風量制御装置１２は、ファンモータ７の回転数を制御して送風ファン４による空気吸込み口９からの空気の取り込み量と温風吹出し口５からの温風の送出量を制御する。ガス量制御装置１３はバーナ１に供給するガス量を制御し、かつガスの供給・遮断をする。
【００１７】
運転操作部１４は、ケース６の上部に配置され、暖房の運転を入り切りする運転スイッチ１５と室温設定スイッチ１６が設けてある。制御手段としての制御装置１７は送風量制御装置１２等を含み、マイクロコンピュータとその周辺回路からなり、バーナ１、ファンモータ７、燃焼検出器３、室温検出器１１、燃焼室２の異常温度を検出する温度検出器１８、運転スイッチ１５、室温設定スイッチ１６、ガス量制御装置１３等の部品とは図の破線で示すように電気的に接続され、部屋の温度が温度設定スイッチ１６の温度になるように前記部品の制御を行う通常の暖房運転及び停止（以下に記述した動作の制御フロー）を実行するためのプログラムを内蔵している。
【００１８】
また、制御装置１７は図２に示す制御フローを実行して温風暖房器が、該温風暖房器の仕様ガス種類と異なったガス種類を使用して運転された場合、バーナ１の異常燃焼による火炎出力を、燃焼検出器３を介して検出し、前記火炎出力が所定時間に所定出力以上になれば運転を停止するためのプログラムも内蔵している。
【００１９】
なお、運転操作部１４には運転スイッチ１５と室温設定スイッチ１６等の動作、停止を表示する表示ランプ（図示せず）が設けてある。
【００２０】
次に温風暖房器が製造時に定められた仕様ガス種類と同じガス種類を使用して通常の暖房運転が行なわれた際の動作について説明する。運転スイッチ１５を押すと、制御装置１７により送風ファン４が回転するとともに、ガス量制御装置１３からガスがバーナ１に供給され、点火によりバーナ１はガスと燃焼用空気の混合ガスを燃焼させる。そして、発生した高温の排気ガスである燃焼ガスと、燃焼室２の上部の風路２ａ内でエアーフィルター１０を介して空気吸込み口９を通過した対流用空気が矢印で示すように混合される。
【００２１】
この混合された温風は、送風量制御装置１２によるファンモータ７の回転が制御された送風ファン４によって前面下部の温風吹出し口５から送出され暖房を行う。そして、室温設定スイッチ１６で設定された温度になるように制御装置１７が制御を行い通常の暖房運転が行なわれる。もちろん、運転スイッチ１５を再び押すと、制御装置１７はガス量制御装置１３を閉じてガスのバーナ１への供給を遮断し、かつ一定時間の後に送風ファン４の運転を停止し、暖房運転を停止する。
【００２２】
次に誤って使用者が自宅のガス種類と異なった仕様ガスの温風暖房器を購入し、自宅のガス栓に接続して使用した際の異常の暖房運転につき、図２に従い動作を説明する。まず、運転スイッチ１５を操作して暖房運転を開始する（Ｓ−１）。この暖房運転が開始され、点火によりバーナ１に燃焼ガスが発生するとともに、燃焼検出器３が燃焼ガスに加熱され火炎を検出するとともに、その出力が上昇する（ｓ−２）。
そして、制御装置１７は温風暖房器が異なったガスが供給されて運転開始しているためバーナ１の燃焼ガスに加熱された燃焼検出器３からの火炎検出出力が所定の時間に、所定の値以上に到達する、バーナ１の異常燃焼による火炎出力の検出信号を取り込む（ｓ−３）。その結果、制御装置１７は異常と判定し、ガス量制御装置１３を閉じてガスのバーナ１への供給を遮断し、かつ一定時間の後に送風ファン４の運転を停止し、暖房運転を停止する（ｓ−４）。
【００２３】
以上のように本実施の形態によれば温風暖房器の使用ガスの間違いによる不安全事象を防止することができる。
【００２４】
（実施の形態２）
図３は、本発明の実施の形態２における温風暖房装置の制御フローを示すものである。なお、温風暖房装置の概観の構成は実施の形態１の図１と同じなので、これを利用し、異なる制御装置を中心に説明する。
【００２５】
制御装置１７は、図３に示す制御フローを実行して温風暖房器が、該温風暖房器の仕様ガス種類と異なったガス種類を使用して運転された場合、バーナ１の異常燃焼による火炎出力を、燃焼検出器３を介して検出し、前記火炎出力が所定時間に所定出力以上、例えば前記火炎出力がｘｍｖ／ｔ秒間の出力上昇値になると運転を停止するためのプログラムも内蔵している。
【００２６】
次に温風暖房器が製造時に定められた仕様ガス種類と同じガス種類を使用して通常の暖房運転が行なわれた際の動作は、実施の形態１で説明したと同じである。
【００２７】
続いて、誤って使用者が自宅のガス種類と異なった仕様ガスの温風暖房器を購入し、自宅のガス栓に接続して使用した際の異常の暖房運転につき、図３に従い動作を説明する。
まず、運転スイッチ１５を操作して暖房運転を開始する（Ｓ−５）。この暖房運転が開始され、点火によりバーナ１に燃焼ガスが発生するとともに、燃焼検出器３が燃焼ガスに加熱され火炎を検出するとともに、その出力が上昇する（ｓ−６）。
そして、制御装置１７は温風暖房器が異なったガスが供給されて運転開始しているためバーナ１の燃焼ガスに加熱された燃焼検出器３からの火炎検出出力がｘｍｖ／ｔ秒間の出力上昇値になった、すなわちバーナ１の異常燃焼による火炎出力の検出信号を取り込む（ｓ−３）。その結果、制御装置１７は異常と判定し、ガス量制御装置１３を閉じてガスのバーナ１への供給を遮断し、かつ一定時間の後に送風ファン４の運転を停止し、暖房運転を停止する（ｓ−８）。
【００２８】
以上のように本実施の形態によれば温風暖房器の使用ガスの間違いによる不安全事象を防止することができる。
【００２９】
（実施の形態３）
図４は、本発明の実施の形態３における温風暖房装置の制御フローを示すものである。なお、温風暖房装置の概観の構成は実施の形態１の図１と同じなので、これを利用し、異なる制御装置を中心に説明する。
【００３０】
制御装置１７は、図４に示す制御フローを実行して温風暖房器が、該温風暖房器の仕様ガス種類と異なったガス種類を使用して運転された場合、バーナ１の異常燃焼による火炎出力を、燃焼検出器３を介して検出し、前記火炎出力が所定時間に所定出力以上、例えば前記火炎出力がｘｍｖ／ｔ秒間の出力上昇値になると運転を停止するとともに、異常の警告音を報知する報知音発生機能のためのプログラムも内蔵している。
【００３１】
次に温風暖房器が製造時に定められた仕様ガス種類と同じガス種類を使用して通常の暖房運転が行なわれた際の動作は、実施の形態１で説明したと同じである。
【００３２】
続いて、誤って使用者が自宅のガス種類と異なった仕様ガスの温風暖房器を購入し、自宅のガス栓に接続して使用した際の異常の暖房運転につき、図４に従い動作を説明する。
まず、運転スイッチ１５を操作して暖房運転を開始する（Ｓ−９）。この暖房運転が開始され、点火によりバーナ１に燃焼ガスが発生するとともに、燃焼検出器３が燃焼ガスに加熱され火炎を検出するとともに、その出力が上昇する（ｓ−１０）。
そして、制御装置１７は温風暖房器が異なったガスが供給されて運転開始しているためバーナ１の燃焼ガスに加熱された燃焼検出器３からの火炎検出出力がｘｍｖ／ｔ秒間の出力上昇値になった、すなわちバーナ１の異常燃焼による火炎出力の検出信号を取り込む（ｓ−１１）。その結果、制御装置１７は異常と判定し、ガス量制御装置１３を閉じてガスの
バーナ１への供給を遮断するとともに、異常の警告音を発し、かつ一定時間の後に送風ファン４の運転を停止し、暖房運転を停止する（ｓ−１２）。
【００３３】
以上のように本実施の形態によれば温風暖房器の使用ガスの間違いによる不安全事象を防止することができるとともに、使用者に警告音による異常状態の発生を確実に知らせる事ができる。
【００３４】
（実施の形態４）
図５は、本発明の実施の形態４における温風暖房装置の制御フローを示すものである。なお、温風暖房装置の概観の構成は実施の形態１の図１と同じなので、これを利用し、異なる制御装置を中心に説明する。
【００３５】
制御装置１７は、図５に示す制御フローを実行して温風暖房器が、該温風暖房器の仕様ガス種類と異なったガス種類を使用して運転された場合、バーナ１の異常燃焼による火炎出力を、燃焼検出器３を介して検出し、前記火炎出力が所定時間に所定出力以上、例えば前記火炎出力がｘｍｖ／ｔ秒間の出力上昇値になると運転を停止するとともに、異常の警告音を報知する報知音発生機能と運転操作部１４に設けた全ての表示ランプを点滅させるためのプログラムも内蔵している。
【００３６】
次に温風暖房器が製造時に定められた仕様ガス種類と同じガス種類を使用して通常の暖房運転が行なわれた際の動作は、実施の形態１で説明したと同じである。
【００３７】
続いて、誤って使用者が自宅のガス種類と異なった仕様ガスの温風暖房器を購入し、自宅のガス栓に接続して使用した際の異常の暖房運転につき、図５に従い動作を説明する。
まず、運転スイッチ１５を操作して暖房運転を開始する（Ｓ−１３）。この暖房運転が開始され、点火によりバーナ１に燃焼ガスが発生するとともに、燃焼検出器３が燃焼ガスに加熱され火炎を検出するとともに、その出力が上昇する（ｓ−１４）。
そして、制御装置１７は温風暖房器が異なったガスが供給されて運転開始しているためバーナ１の燃焼ガスに加熱された燃焼検出器３からの火炎検出出力がｘｍｖ／ｔ秒間の出力上昇値になった、すなわちバーナ１の異常燃焼による火炎出力の検出信号を取り込む（ｓ−１５）。その結果、制御装置１７は異常と判定し、ガス量制御装置１３を閉じてガスのバーナ１への供給を遮断するとともに、異常の警告音を発し、かつ運転操作部１４に設けてある表示ランプの全てを点滅させ、一定時間の後に送風ファン４の運転を停止し、暖房運転を停止する（ｓ−１６）。
【００３８】
以上のように本実施の形態によれば温風暖房器の使用ガスの間違いによる不安全事象を防止することができるとともに、使用者に警告音と表示ランプの点滅により異常状態の発生を確実に知らせる事ができる。
【００３９】
（実施の形態５）
図６は、本発明の実施の形態５における温風暖房装置の制御フローを示すものである。なお、温風暖房装置の概観の構成は実施の形態１の図１と同じなので、これを利用し、異なる制御装置を中心に説明する。
【００４０】
制御装置１７は、図６に示す制御フローを実行して温風暖房器が、該温風暖房器の仕様ガス種類と異なったガス種類を使用して運転された場合、バーナ１の異常燃焼による火炎出力を、燃焼検出器３を介して検出し、前記火炎出力が所定時間に所定出力以上、例えば前記火炎出力がｘｍｖ／ｔ秒間の出力上昇値になると運転を停止するとともに、異常の警告音を報知する報知音発生機能と運転操作部１４に設けた全ての表示ランプを点滅させるためのプログラムも内蔵している。
【００４１】
さらに、制御装置１７は、上記した温風暖房器の仕様ガス種類と異なったガス種類を使用して運転された事実、すなわちバーナ１の異常燃焼による火炎出力の検出が、所定の検出回数以降は温風暖房器の動作を不能にさせ、そして、アフターサービス者により前記動作不能を解除するスイッチの操作、または暗号の入力により、当初の通常の暖房運転及び温風暖房器の仕様ガス種類と異なったガス種類を使用して運転されたことを検出する機能に回復させるプログラムも内蔵している。
【００４２】
次に温風暖房器が製造時に定められた仕様ガス種類と同じガス種類を使用して通常の暖房運転が行なわれた際の動作は、実施の形態１で説明したと同じである。
【００４３】
続いて、誤って使用者が自宅のガス種類と異なった仕様ガスの温風暖房器を購入し、自宅のガス栓に接続して使用した際の異常の暖房運転につき、図６に従い動作を説明する。
まず、運転スイッチ１５を操作して暖房運転を開始する（Ｓ−１７）。この暖房運転が開始され、点火によりバーナ１に燃焼ガスが発生するとともに、燃焼検出器３が燃焼ガスに加熱され火炎を検出するとともに、その出力が上昇する（ｓ−１８）。
そして、制御装置１７は温風暖房器が異なったガスが供給されて運転開始しているためバーナ１の燃焼ガスに加熱された燃焼検出器３からの火炎検出出力がｘｍｖ／ｔ秒間の出力上昇値になった、すなわちバーナ１の異常燃焼による火炎出力の検出信号を取り込む（ｓ−１９）。その結果、制御装置１７は異常と判定し、ガス量制御装置１３を閉じてガスのバーナ１への供給を遮断するとともに、異常の警告音を発し、かつ運転操作部１４に設けてある表示ランプの全てを点滅させ、一定時間の後に送風ファン４の運転を停止し、暖房運転を停止する（ｓ−２０）。
【００４４】
特に本実施の形態では、使用者が上記した異常に気づかずに、あるいは無視して再び運転スイッチ１５を押して暖房運転の開始操作が、例えば５回までは上記した制御で行われるものの、６回目以降になると制御装置１７は温風暖房器の運転開始の操作を不能にするものである。
【００４５】
そして、アフターサービス者により前記動作不能を解除するスイッチの操作、または暗号の入力により、当初の通常の暖房運転及び温風暖房器の仕様ガス種類と異なったガス種類を使用して運転されたことを検出する機能に回復させるとともに、アフターサービス者よりの説明を受け、自宅のガス種類にあった仕様ガスの温風暖房器に交換して使用することにより、安全に器具を使用することが可能になる。
【産業上の利用可能性】
【００４６】
以上のように、本発明にかかる温風暖房装置は、温風暖房器の仕様ガス種類と異なったガス種類で温風暖房器が運転された場合、制御手段により運転を自動的に停止して機器の使用上の安全を図るものであり、製造時に仕様ガスの種類が定められるガス器具に広く適用できるものである。
【図面の簡単な説明】
【００４７】
【図１】本発明の実施の形態１における温風暖房装置の概観構成図
【図２】同実施の形態１における温風暖房装置の制御フローチャート
【図３】本発明の実施の形態２における温風暖房装置の制御フローチャート
【図４】本発明の実施の形態３における温風暖房装置の制御フローチャート
【図５】本発明の実施の形態４における温風暖房装置の制御フローチャート
【図６】本発明の実施の形態５における温風暖房装置の制御フローチャート
【図７】従来の温風暖房装置の制御フローチャート
【符号の説明】
【００４８】
１    バーナ
２    燃焼室
４    送風ファン
５    温風吹出し口
１４  運転操作部
１７  制御装置（制御手段）
【図２】
0004835919.tif 000002
【図３】
0004835919.tif 000003
【図４】
0004835919.tif 000004
【図５】
0004835919.tif 000005
【図６】
0004835919.tif 000006
【図７】
0004835919.tif 000007
【図１】
0004835919.tif 000008